(57)【要約】      （修正有）【課題】たまご又は壊れやすいものを入れる安全なカットシート包装箱を提供する。【解決手段】硬質シート１０を中割り折り区域１と前折り区域２に分けて、この中割り折り区域１と前折り区域２は、それぞれ複数の隣り合わせた折りシート１１、１２、１３、２１、２２、２３、２４より形成し、連続的に折って、支持台収納空間を備えた矩形包装箱を形成する。その特徴は中割り折り区域１は、支持台を備えた収納空間を形成して、たまごやその他壊れやすいものを掛け合い固定できる。なお、前折り区域２は、包装箱のケース体を折って形成する。全体の構造が極めて単純、かつ硬質シートは段ボール紙または環境保護部材を使用できることから、コストが低く、包装プロセスも簡単、かつ快速である。振動軽減と緩衝効果を有し、被包装物の安全を保障できる。【選択図】図２
0003148019.tif 000002
【実用新案登録請求の範囲】
【請求項１】
硬質シートを備えたカットシート包装箱であって、前記硬質シートは予め中割り折り区域と前折り区域に分け、前記中割り折り区域と前記前折り区域はそれぞれに隣り合わせた複数の折りシートを連続的に折って形成し、被包装物を併せて収納して包装箱を構成するとともに、前記中割り折り区域は支持台に折って前記被包装物を挟み込んで固定し、前記前折り区域はさらに折って、前記包装箱のケース体を形成することを特徴とするカットシート包装箱。
【請求項２】
前記硬質シートには、前記中割り折り区域と前記前折り区域を分けるための折り目を設け、前記折り目の所定位置に一つ以上の掛け孔を設け、前記中割り折り区域は、前記折り目によって３つの隣り合わせた折りシートに分け、そのうち、第２折りシートに一つ以上の孔部を開け、前記前折り区域は、４つの隣り合わせた折りシートに分けて構成したことを特徴とする請求項１記載のカットシート包装箱。
【請求項３】
前記中割り折り区域の表層に備える第１折りシートには、一つ以上の逃げ口を設け、前記逃げ口は折り目に備える掛け孔に対応するとともに、前記前折り区域の表層に備える折りシートは、一つ以上の掛け合いシートを設け、前記掛け合いシートは折り目に備える掛け孔に対応して構成したことを特徴とする請求項２記載のカットシート包装箱。
【請求項４】
前記中割り折り区域は、斜面形態の支持台収納空間を形成し、前記前折り区域にある４つの折りシートを連続的に折って、矩形包装箱を形成することを特徴とする請求項２記載のカットシート包装箱。
【請求項５】
前記第２折りシートの孔部には、予め周壁に一つ以上の一部連なる保護シートを設けることを特徴とする請求項２記載のカットシート包装箱。
【請求項６】
前記孔部には予め十字状の切り込みを設けて、前記十字状の切り込みを広げて一部連なる保護シートを形成することを特徴とする請求項５記載のカットシート包装箱。
【請求項７】
前記硬質シートは、段ボール紙、硬質シート類似物、又は回収部材のいずれか一つの部材を使用することを特徴とする請求項１記載のカットシート包装箱。
【請求項８】
前記硬質シートの中割り折り区域は、４つの隣り合わせた折りシートからなり、かつ第１折りシートと第３折りシートの幅を第２折りシートの幅より小さく設けることにより、中割り折り区域にて平面支持台の収納空間を折り加工し形成することを特徴とする請求項１記載のカットシート包装箱。
【請求項９】
前記硬質シートの前折り区域は、３つの隣り合わせた折りシートより構成することを特徴とする請求項１記載のカットシート包装箱。
【考案の詳細な説明】
【技術分野】
【０００１】
本考案は包装箱に係り、特に一種のカットシートで成形され、たまご又は壊れやすいものに提供する安全なカットシート包装箱に関する。
【背景技術】
【０００２】
公知技術のたまごやその他壊れやすいものを入れる包装箱のほとんどが、透明なプラスチック部材を使って、連なる又は不連続の上下ケースにより形成されるものである。さらに、公知技術の上下ケースの形状は固定されていて、たまごをそれぞれ入れる凹み部と、掛け合い機構（あるいはテープもしくはホチキスで留めるなど）により、包装箱を構成する。この種の包装箱の上下ケースの形状は固定されているため、体積が大きく格納管理に不都合である。一方、プラスチック部材の使用は環境保護に相反することから、一部の当業者が回収された部材の再製品を考案しているが、体積が大きいことと搬送、管理不便などの課題が残っている。また、特に包装物の安全保護に不足があり、包装物が衝撃により破損しやすいという問題があった。
【考案の開示】
【考案が解決しようとする課題】
【０００３】
そこで、本考案の主な目的は、包装箱の組立プロセスが単純、かつ迅速にできるほか、緩衝の保護効果を有し被包装物の安全を確保できる、一種のカットシート包装箱を提供することにある。即ち、硬質シートを予め中割り折り区域と前折り区域に分ける。該中割り折り区域と前折り区域は、それぞれに隣り合わせた複数の折りシートからなる。さらに、連続に折って矩形の包装箱が形成される。一方、中割り折り区域は支持台の収納空間に折って、たまごやその他壊れやすいものを挟み込んで固定する。前折り区域はさらに折って、包装箱のケース体を形成する。
【０００４】
本考案の次の目的は、硬質折りシートは、段ボール紙または硬質シート類似品あるいはその他回収部材を使用可能なため、快速に折り成形できるほか、コストが低く、環境保護に見合った、一種の折りシート包装箱を提供することにある。
【０００５】
本考案のまた一つの目的は、硬質折りシートの中割り折り区域は、傾斜面又は平面形態の支持台を折って一つ以上の孔を開け、たまごなどの被包装物を差し入れて掛け合い固定することにより、箱体の包装構造が丈夫で、さらなるテープその他部材による固定が不要で、組立構造が極めて巧妙である、一種の折りシート包装箱設計を提供することにある。
【０００６】
本考案のさらに一つの目的は、硬質折りシートの中割り折り区域より折り加工で形成される支持台の孔部にて、たまごなどの被包装物の掛け合い固定ができ、さらに、孔部の周壁に一つ以上の一部連なる保護シートを形成し、被包装物を保護し振動による破損を避ける、一種の折りシート包装箱を提供することにある。
【課題を解決するための手段】
【０００７】
本考案によるカットシート包装箱は、主に硬質折りシートを中割り折り区域と前折り区域に分けて、該中割り折り区域と該前折り区域は、それぞれ複数の隣り合わせた折りシートからなる。連続に折って支持台を備えた収納空間の矩形包装箱を形成し、収納されたたまごやその他壊れやすいものを掛け合い固定する。さらに、前折り区域を折って包装箱のケース体を形成する。全体の構造が単純であるほか、硬質折りシートは段ボール紙または環境保護部材を使用できるため、コストが低く、包装プロセスが単純、快速である。また、緩衝効果があり、被包装物の安全を保護できる。
【考案を実施するための最良の形態】
【０００８】
以下、本考案の実施の形態を図面に基づいて説明する。
【実施例１】
【０００９】
図１ないし図８に、本考案によるカットシート包装箱の実施例１を示す。図において、主に硬質シート１０を中割り折り区域１と前折り区域２に分けて、中割り折り区域１と前折り区域２は、複数の隣り合わせた折りシート１１、１２、１３と２１、２２、２３、２４からなる。連続に折って、被包装物２０も合わせて収納した上（プロセスは図３ないし図７に示す）矩形の包装箱（図８）を形成する。そのうち、中割り折り区域１は支持台Ａ（図３）を備えた収納空間を形成し、たまごやその他被包装物２０と掛け合い固定する。一方、前折り区域２を折って、包装箱のケース体を形成する。これにより、全体の構造が単純である。さらに該硬質シート１０は、段ボール紙または硬質シートあるいは環境保護部材を使用できるため、コストが低いほか、包装プロセスが単純、快速であり、包装後には振動軽減の効果を有し、被包装物２０の安全が保障される。
【００１０】
図２に本考案による実施例１を示す。この実施例において、該硬質シート１０は、中割り折り区域１と前折り区域２を分ける折り目３１を備え、折り目３１の所定位置に一つ以上の掛け孔３１１、３１２を開ける。中割り折り区域１は折り目３２、３３により、隣り合わせた３つの折りシート１１、１２、１３に分ける。そのうち、表層の第１折りシート１１の対応位置に一つ以上の逃げ口１１１、１１２を設け、該逃げ口１１１、１１２と折り目３１上の掛け孔３１１、３１２はそれぞれ対応する。該第１折りシート１１と隣り合わせた第２折りシート１２には、被包装物２０と掛け合い固定する孔部１２１を形成する。さらに、前折り区域２は折り目３４、３５、３６によって、隣り合わせた４つの折りシート２１、２２、２３、２４に分かれて、表層の折りシート２４の対応位置に一つ以上の掛け合いシート２４１、２４２を設けて、掛け合いシート２４１、２４２と折り目３１上の掛け孔３１１、３１２との対応状態を形成する。使用のときは、中割り折り区域１（３つの折りシート１１、１２、１３）を折って、斜面形態の支持台Ａの収納空間（図３）を形成した上、前折り区域２に備える４つの折りシート２１、２２、２３、２４を連続に折って、矩形の包装箱（図４ないし７）を形成する。一方、被包装物２０は予め支持台Ａの孔部１２１に掛け合った上、最後に、掛け合いシート２４１、２４２を掛け孔３１１、３１２に対応してそれぞれに掛け合って（図７、図８）、ケース体の固定と包装を素早く完成できるため、テープその他装丁具による固定が不要である。
【００１１】
前記した本考案の実施態様から明らかなように、中割り折り区域１または前折り区域２の折りシートの数は、同じ設計思想のもとで、適宜に増減または改変できる。一例として、前記前折り区域２の折りシートは、必要に応じて３つに減らすことができる。ただし、このような単純な改変はなお本考案の主な技術に属し、本考案の請求範囲に該当するものであることを申し上げる。
【００１２】
本考案による硬質シート１０の部材は、特に制限する必要はない。ただし、実施するとき、段ボール紙または硬質シートその他回収可能部材を使用することが好ましい。硬質シートは、簡単に折り加工成形が可能なほか、防湿性に優れ、振動を防止し衝撃防止の特長を有する。このため、折り作業がより高速になるにつれてコストが安くなり、環境保護対策にもなる。実施例１に図示した通り、該硬質シート１０の中割り折り区域１は隣り合わせた３つの折りシート１１、１２、１３により、斜面形態の支持台Ａを形成する。さらに、斜面を構成する第２折りシート１２は孔部１２１により、たまごなどの被包装物２０を装入して、安定な掛け合い固定を形成している。そのため、包装構造の保護性が優れている。
【００１３】
前記第２折りシート１２に開ける一つ以上の孔部１２１は、孔部１２１の周壁に一つ以上の一部連なる保護シート１２２を予め残して、局部に被包装物２０を被せて、被包装物２０の保護強化を提供する。また、前記孔部１２１は、予め十字状の切り込みを開けて、該十字状の切り込みを広げて、４つの一部連なる保護シート１２２を形成する。同じく、保護シート１２２の数は任意に増減できる。展開して、２つまたはそれ以上の一部連なる保護シート１２２にすることができる。
【実施例２】
【００１４】
図９、１０に、本考案によるカットシート包装箱の実施例２を示す。この実施例において、主に硬質シート１０’は、予め中割り折り区域１’と前折り区域２’に折って、中割り折り区域１’と前折り区域２’は、それぞれ複数の隣り合わせた折りシート１１’、１２’、１３’、１４’と２１’、２２’、２３’、２４’からなるところは、実施例１の基本形態に同様である。主な違いは４つの隣り合わせた折りシート１１’、１２’、１３’、１４’により、中割り折り区域１’を形成し、かつ第２折りシート１２’の両側と隣り合わせた第１折りシート１１’と第３折りシート１３’は細く狭く設ける。すなわち、第１折りシート１１’と第３折りシート１３’との幅を第２折りシート１２’の幅より適宜に小さく設ける。これにより、中割り折り区域１’に平面支持台Ｂを備えた収納空間を形成し、平面の第２折りシート１２’の孔部１２１’を形成し、たまごなどの被包装物２０の装入に提供し、良い掛け合い固定を形成する（図１０を参照）。
【実施例３】
【００１５】
図１１に本考案のカットシート包装箱による実施例３を示す。その構成は前記実施例２とほぼ同じである。主な違いは、３つの隣り合わせた折りシート２１ａ、２２ａ、２３ａによって、前折り区域を構成し、表層の折りシート２３ａの掛け合いシート２３１ａ、２３２ａはこれに対応して掛け孔３１１ａ、３１２ａに掛け合うことで、同じくケース体の固定と包装を素早く完成できる。
【００１６】
前記の実施例は本考案の主な技術の説明を目的とし、本考案の技術範囲に何らの制限を加わるものではない。よって、等効果の応用又は前記した技術による簡単な変更又は置き換えするものは、なお本考案の技術範囲に含まれるものとする。
【図面の簡単な説明】
【００１７】
【図１】本考案の展開時の立体図（実施例１）
【図２】本考案の展開時の正面図（実施例１）
【図３】本考案の中折り区域にて予め支持台状に折った態様の説明図
【図４】本考案の被包装物を予め支持台に差し入れた態様の説明図
【図５】本考案の被包装物を一つずつに装入するプロセスの態様の説明図
【図６】本考案の連続に折るプロセスの態様の説明図
【図７】本考案の連続に折った後の包装態様の説明図
【図８】本考案の連続に折った組合せ完成図
【図９】本考案の展開時の正面図（実施例２）
【図１０】本考案の折り加工完成後の組合せ断面図（実施例２）
【図１１】本考案の折り加工完成後の組合せ断面図（実施例３）
【符号の説明】
【００１８】
１０        硬質シート
１０’      硬質シート
１          中割り折り区域
１’        中割り折り区域
２          前折り区域
２’        前折り区域
１１        折りシート
１２        折りシート
１３        折りシート
２１        折りシート
２２        折りシート
２３        折りシート
２４        折りシート
１１’      折りシート
１２’      折りシート
１３’      折りシート
１４’      折りシート
２１’      折りシート
２２’      折りシート
２３’      折りシート
２４’      折りシート
２０        被包装物
Ａ          支持台
Ｂ          支持台
３１        掛け孔
３２        掛け孔
３３        折り目
３１１      掛け孔
３１２      掛け孔
１１１      逃げ口
１１２      逃げ口
１２１      孔部
１２１’    孔部
３４        折り目
３５        折り目
３６        折り目
２４１      掛け合いシート
２４２      掛け合いシート
１２２      保護シート
２１ａ      折りシート
２２ａ      折りシート
２３ａ      折りシート
２３１ａ    掛け合いシート
２３２ａ    掛け合いシート
３１１ａ    掛け孔
３１２ａ    掛け孔
【図１】
0003148019.tif 000003
【図２】
0003148019.tif 000004
【図３】
0003148019.tif 000005
【図４】
0003148019.tif 000006
【図５】
0003148019.tif 000007
【図６】
0003148019.tif 000008
【図７】
0003148019.tif 000009
【図８】
0003148019.tif 000010
【図９】
0003148019.tif 000011
【図１０】
0003148019.tif 000012
【図１１】
0003148019.tif 000013